(57)【要約】      （修正有）【課題】初期位置付きの認知症患者の位置決め・探し出し設備を提供する。【解決手段】両側に2本のストラップが接続されている配電制御ボックスを備えている。前記ストラップにはロック外板とロック内板が接続され、前記配電制御ボックスは密封ボックス８を備えている。密封ボックスの上部は制御部であり、下部は表示部であり、ロック外板に制御部と連通するアラームが固設され、表示部は密封ボックスに設置された表示位置固定カバー３１を備え、表示位置固定カバーに表示ガラスカバー３７、表示密封ブロック３５、表示押圧ロッド３４が前後方向に密封されて設置され、表示ガラスカバーに、表示ガラスブロック３８が、水平に密封された状態で被装され、表示ガラスブロックと表示密封ブロックとの間に板紙が設置され、密封ボックスの前板に表示口４２が設置される。表示部は機械密封構造を備えており、書きつけておく紙切れにより初期位置を表示する。【選択図】図３
2020004383.tif 000002
【特許請求の範囲】
【請求項１】
両側にストラップ（2）が接続されている配電制御ボックス（1）を備え、2本のストラップ（2）にそれぞれ互いに連携するロック外板（4）とロック内板（3）が接続され、前記配電制御ボックス（1）は開合可能且つボックスのロックボルト（9）を介してロック可能な密封ボックス（8）を備え、前記密封ボックス（8）の上部は制御部であり、下部は表示部であり、前記ロック外板（4）に制御部と連通するアラーム（6）が固設され、前記表示部は密封ボックス（8）に設置された表示位置固定カバー（31）を備え、前記表示位置固定カバー（31）に表示ガラスカバー（37）、表示密封ブロック（35）、と表示押圧ロッド（34）が前後方向に密封されて設置され、前記表示密封ブロック（35）の前部に表示ガラスカバー（37）と密封して差し込み連係する密封ブロックの位置固定凸輪（39）が設置され、前記表示ガラスカバーに、表示ガラスブロック（38）が、水平に密封された状態で被装され、前記表示ガラスブロック（37）と表示密封ブロック（35）との間に板紙が設置され、前記密封ボックス（8）の前板に表示ガラスブロック（38）と連係する表示口（42）が設置されることを特徴とする初期位置付きの認知症患者の位置決め・探し出し設備。
【請求項２】
前記表示口（42）にインターセプトロックボルト（41）を介して表示インターセプトネット（40）が固設され、前記表示インターセプトネット（40）の網目が５ｍｍ以下であることを特徴とする請求項１に記載の初期位置付きの認知症患者の位置決め・探し出し設備。
【請求項３】
前記表示押圧ブロック（32）に前後方向を向く押圧穴が設置され、前記表示密封ブロック（35）の後部に押圧穴と差し込み連係する密封ブロックの位置決めカバーロッド（36）が設置され、前記密封ブロックの位置決めカバーロッド（36）の後側に圧縮状態になっている表示押圧ばね（33）が設置され、前記表示押圧ばね（33）の後側に押圧穴と密封して連係する且つ後端が密封ボックス（8）の後板に挿入する表示押圧ロッド（34）が接続されることを特徴とする請求項１に記載の初期位置付きの認知症患者の位置決め・探し出し設備。
【請求項４】
ロック内板（3）の外側の両端にロック外板（4）と締まり嵌めによって連係する締まり嵌め柱（5）が設置され、アラーム（6）の一つのコネクターがロック外板（4）とストラップ（2）に設置された導線（7）を介して制御部に連通され、もう一つのコネクターが締まり嵌め柱（5）と締まり嵌めによって連係され、且つ締まり嵌め柱（5）がロック内板（3）とストラップ（2）に設置された導線（7）を介して制御部に連通され、前記制御部はアラーム（6）を間欠的に運転するように制御する配電制御部品であることを特徴とする請求項１に記載の初期位置付きの認知症患者の位置決め・探し出し設備。
【請求項５】
前記制御部は密封ボックス（8）に設置された蓄電池（10）を備え、蓄電池（10）の上部に電池連通柱（13）を介してコントローラ（12）が接続され、前記ストラップ（2）に密封ボックス（8）と締まり嵌めによって連係するストラップの接続差込カバー（14）が接続され、前記導線（7）がコントローラ（12）に連通され、前記密封ボックス（8）にその中の部品を位置固定させて且つ密封分離する位置固定密封ブロック（11）が設置され、前記コントローラ（12）にタイマーリレーが設置され、コントローラ（12）がタイマーリレーの信号を介してアラーム（6）の回路を開閉することを特徴とする請求項４に記載の初期位置付きの認知症患者の位置決め・探し出し設備。
【請求項６】
前記ロック外板（4）の内部がロック内部空洞（18）であり、前記ロック外板（4）の外側に外板開合蓋（16）が設置され、内側にロック差込口が設置され、前記ロック差込口がロック内板（3）の外側の中部に設置されたロック円柱（19）と差し込み連係され、前記ロック円柱（19）の外側の中部に円形状溝が設置され、前記ロック内部空洞（18）にロック円柱（19）の外側の円形状溝と連係する位置固定装置が設置されることを特徴とする請求項４に記載の初期位置付きの認知症患者の位置決め・探し出し設備。
【請求項７】
前記位置固定装置はロック内部空洞（18）において且つロック円柱（19）の両側に設置されたロック台（24）を備え、前記ロック台（24）にロック押しロッド（23）が締まり嵌めによって連係され、前記ロック押しロッド（23）にロック円柱（19）と連係するロック半環状カバー（20）が接続され、前記ロック半環状カバー（20）の内側にロック円柱（19）の外側における円形状溝と差し込み連係するロック半環状ブロック（21）が固設されることを特徴とする請求項６に記載の初期位置付きの認知症患者の位置決め・探し出し設備。
【請求項８】
前記ロック半環状ブロック（21）の内側にロック押しロッド（23）と同一軸線に位置するロック差込ピン（22）が設置され、前記ロック円柱（19）に円形状溝と連通して且つロック差込ピン（22）と差し込み連係するロック差込穴が設置されることを特徴とする請求項７に記載の初期位置付きの認知症患者の位置決め・探し出し設備。
【請求項９】
前記外板開合蓋（16）の長さはロック内部空洞（18）を超え、且つ外板開合蓋（16）が開合蓋のロックボルト（25）とロック台（24）を介してロックされ、前記外板開合蓋（16）に開合蓋のロックボルト（25）と連係する開合蓋のロック溝（26）が設置され、前記ロック押しロッド（23）に開合蓋のロックボルト（25）と差し込み連係する穴が二つ設置され、且つ二つの穴はロック半環状ブロック（21）が円形状溝に挿脱される位置とそれぞれ対応することを特徴とする請求項８に記載の初期位置付きの認知症患者の位置決め・探し出し設備。
【請求項１０】
二枚のロック半環状ブロック（21）の接触箇所は半環状カバーの差込ピン（27）を介して締まり嵌めによって連係されることを特徴とする請求項９に記載の初期位置付きの認知症患者の位置決め・探し出し設備。
【発明の詳細な説明】
【技術分野】
【０００１】
本発明は位置決め設備の分野に関し、特に初期位置付きの認知症患者の位置決め・探し出し設備に関する。
【背景技術】
【０００２】
中国は世界で人口が一番多い大国であり、各年代の人口は多く分布しており、60歳以上のお年寄りは一億を超えている。この人の群れの中で、認知症や間欠性認知症を患っている人がいて、ずっと認知症患者のそばで介護をしなければならなく、少しでも油断をすると迷子になってしまい、人尋ね通報がよく街頭で見られるが、見つけたケースは、極めて少ない。
【０００３】
本来ならば、電子設備がこのように発達している本日は、老人が迷子になってしまう状況があるはずがない。現在市場に様々なロケータ、追跡器などが出されているが、それらのロケータと追跡器には明らかな欠陥がある。つまり、衛星により位置を探知必要のため、信号の良いところだけに適用される。また、電気を使う必要があるので、長い時間に位置決めできず、それに迷子になったお年寄りが自分で充電できず、またお年寄りに乱雑に攫まれて紛失しやすいので、あまり役に立たず、お年寄りが迷子になる状況は依然として深刻な社会問題となっている。
【発明の概要】
【発明が解決しようとする課題】
【０００４】
本発明は初期位置付きの認知症患者の位置決め・探し出し設備を提供することを目的とし、配電制御ボックスにおける配電部にアラームが接続され、配電制御ボックスの表示部と組み合わせて初期位置を表示することにより、熱心な人がお年寄りを見つけて、送り返すことができるようになる。また、表示部では機械密封構造を使って、ガラス板と組み合わせることで密封を実現し、書きつけておく紙切れにより初期位置を表示し、省エネすることができる。
【課題を解決するための手段】
【０００５】
上記の目的を実現するために、本発明の使用する技術的な解決方案は以下の通りである。初期位置付きの認知症患者の位置決め・探し出し設備であって、それは両側にストラップが接続されている配電制御ボックスを備え、2本のストラップにそれぞれ互いに連携するロック外板とロック内板が接続され、前記配電制御ボックスは開合可能且つボックスのロックボルトを介してロック可能な密封ボックスを備え、前記密封ボックスの上部は制御部であり、下部は表示部であり、前記ロック外板に制御部と連通するアラームが固設され、前記表示部は密封ボックスに設置された表示位置固定カバーを備え、前記表示位置固定カバーに表示ガラスカバー、表示密封ブロック、と表示押圧ロッドが前後方向に密封されて設置され、前記表示密封ブロックの前部に表示ガラスカバーと密封して差し込み連係する密封ブロックの位置固定凸輪が設置され、前記表示ガラスカバーに、表示ガラスブロックが、水平に密封された状態で被装され、前記表示ガラスブロックと表示密封ブロックとの間に板紙が設置され、前記密封ボックスの前板に表示ガラスブロックと連係する表示口が設置される。
【０００６】
さらに、前記表示口にインターセプトロックボルトを介して表示インターセプトネットが固設され、前記表示インターセプトネットの網目が５ｍｍ以下である。
【０００７】
さらに、前記表示押圧ブロックに前後方向を向く押圧穴が設置され、前記表示密封ブロックの後部に押圧穴と差し込み連係する密封ブロックの位置決めカバーロッドが設置され、前記密封ブロックの位置決めカバーロッドの後側に圧縮状態になっている表示押圧ばねが設置され、前記表示押圧ばねの後側に押圧穴と密封して連係する且つ後端が密封ボックスの後板に挿入する表示押圧ロッドが接続される。
【０００８】
さらに、ロック内板の外側の両端にロック外板と締まり嵌めによって連係する締まり嵌め柱が設置され、アラームの一つのコネクターがロック外板とストラップに設置された導線を介して制御部に連通され、もう一つのコネクターが締まり嵌め柱と締まり嵌めによって連係され、且つ締まり嵌め柱がロック内板とストラップに設置された導線を介して制御部に連通され、前記制御部はアラームを間欠的に運転するように制御する配電制御部品である。
【０００９】
さらに、前記制御部は密封ボックスに設置された蓄電池を備え、蓄電池の上部に電池連通柱を介してコントローラが接続され、前記ストラップに密封ボックスと締まり嵌めによって連係するストラップの接続差込カバーが接続され、前記導線がコントローラに連通され、前記密封ボックスにその中の部品を位置固定させて且つ密封分離する位置固定密封ブロックが設置され、前記コントローラにタイマーリレーが設置され、前記コントローラがタイマーリレーの信号を介してアラームの回路を開閉する。
【００１０】
さらに、前記ロック外板の内部がロック内部空洞であり、前記ロック外板の外側に外板開合蓋が設置され、内側にロック差込口が設置され、前記ロック差込口がロック内板の外側の中部に設置されたロック円柱と差し込み連係され、前記ロック円柱の外側の中部に円形状溝が設置され、前記ロック内部空洞にロック円柱の外側の円形状溝と連係する位置固定装置が設置される。
【００１１】
さらに、前記位置固定装置はロック内部空洞において且つロック円柱の両側に設置されたロック台を備え、前記ロック台にロック押しロッドが締まり嵌めによって連係され、前記ロック押しロッドにロック円柱と連係するロック半環状カバーが接続され、前記ロック半環状カバーの内側にロック円柱の外側における円形状溝と差し込み連係するロック半環状ブロックが固設される。
【００１２】
さらに、前記ロック半環状ブロックの内側にロック押しロッドと同一軸線に位置するロック差込ピンが設置され、前記ロック円柱に円形状溝と連通して且つロック差込ピンと差し込み連係するロック差込穴が設置される。
【００１３】
さらに、前記外板開合蓋の長さはロック内部空洞を超え、且つ外板開合蓋が開合蓋のロックボルトとロック台を介してロックされ、前記外板開合蓋に開合蓋のロックボルトと連係する開合蓋のロック溝が設置され、前記ロック押しロッドに開合蓋のロックボルトと差し込み連係する穴が二つ設置され、且つ二つの穴はロック半環状ブロックが円形状溝に挿脱される位置とそれぞれ対応する。
【００１４】
二枚のロック半環状ブロックの接触箇所は半環状カバーの差込ピンを介して締まり嵌めによって連係される。
【発明の効果】
【００１５】
本発明の有益な効果は以下の通りである。
【００１６】
1、配電制御ボックスにおける配電部にアラームが接続され、配電制御ボックスの表示部と組み合わせて初期位置を表示することにより、熱心な人がお年寄りを見つけて、送り返すことができるようになる。また、表示部では機械密封構造を使って、ガラス板と組み合わせることで密封を実現し、書きつけておく紙切れにより初期位置を表示し、省エネすることができる。
【００１７】
2、ロックインターセプトネットの設計により、お年寄りが無意識にガラスを砕いて、更に水漏れになって板紙を損なう状況を避けられる。
【００１８】
3、押圧穴と表示押圧ばねの設計により、表示密封ブロックと表示ガラスカバー37とをしっかり密封させて、水漏れの状況を避けられる。また、表示押圧ロッドの設計により、後板に対して位置固定させることができると共に、押圧穴を密封することも可能になる。
【００１９】
4、配電制御ボックスの構造は巧みであり、全面的に密封することが可能になり、また位置固定密封ブロックを介してすべての部品を位置固定させた後密封隔離を行う。
【００２０】
5、ロック円柱とその外側に設置された円形状溝によりロック装置と組み合わせて、ロック外板と内板をいつも固定させていることを確保し、ある程度、締まり嵌めロックを強化して、認知症患者のお年寄りが装置を乱雑につかんで外すことを避けられる。
【００２１】
6、ロック装置は構造がシンプルであり、操作しやすく、ロック円柱と円形状溝をしっかり固定させることができる。
【００２２】
7、ロック差込ピンの設計により、ロック円柱を回転させず固定させることが可能であり、さらにロック内板と外板のロック性能を向上させる。
【００２３】
8、外板開合蓋のロックによりロック押しロッドに対して位置決め、ロックすることができ、有機的構造に形成する。また、ロック押しロッドのロック位置に対して検出を行うことができ、更にロックの効果を確保する。
【００２４】
9、半環状カバーの差込ピンの設計により、ロック半環状カバーに対するロック効果を強化すると共に、ロック半環状カバーと締まり嵌めることで、開合蓋のロックボルトに挿入する際に、ロック押しロッドに対して位置固定させることができるようになる。
【図面の簡単な説明】
【００２５】
【図１】初期位置付きの認知症患者の位置決め・探し出し設備の構造を示す図である。
【図２】配電制御ボックスの構造を示す図である。
【図３】図2におけるＦ−Ｆの断面図である。
【図４】図3におけるＨ箇所の部分拡大図である。
【図５】ロック内板と外板の構造を示す図である。
【図６】図5におけるＡの部分拡大図である。
【図７】図5におけるＢの部分拡大図である。
【図８】図7におけるＣの部分拡大図である。
【図９】図8におけるＤ−Ｄの断面図である。
【発明を実施するための形態】
【００２６】
当業者が本発明の技術的な解決手段をより良く理解するため、次に、図面と併せて本発明を詳しく説明する。この部分の説明は、実証性と解釈性のみであり、本発明の保護範囲は何ら限定されない。
【００２７】
図1-図9に示す通り、本発明の具体的な構造は以下の通りである。初期位置付きの認知症患者の位置決め・探し出し設備であって、それは両側にストラップ2が接続されている配電制御ボックス1を備え、2本のストラップ2にそれぞれ互いに連携するロック外板4とロック内板3が接続され、前記配電制御ボックス1は開合可能且つボックスのロックボルト9を介してロック可能な密封ボックス8を備え、前記密封ボックス8の中の上部は制御部であり、下部は表示部であり、前記ロック外板4に制御部と連通するアラーム6が固設され、前記表示部は密封ボックス8に設置された表示位置固定カバー31を備え、前記表示位置固定カバー31に表示ガラスカバー37、表示密封ブロック35、と表示押圧ロッド34が前後方向に密封されて設置され、前記表示密封ブロック35の前部に表示ガラスカバー37と密封して差し込み連係する密封ブロックの位置固定凸輪39が設置され、前記表示ガラスカバーに、表示ガラスブロック38が、水平に密封された状態で被装され、前記表示ガラスブロック38と表示密封ブロック35との間に板紙が設置され、前記密封ボックス8の前板に表示ガラスブロック38と連係する表示口42が設置される。
【００２８】
好ましくは、前記表示口42にインターセプトロックボルト41を介して表示インターセプトネット40が固設され、前記表示インターセプトネット40の網目が５ｍｍ以下である。
【００２９】
好ましくは、前記表示押圧ブロック32に前後方向を向く押圧穴が設置され、前記表示密封ブロック35の後部に押圧穴と差し込み連係する密封ブロックの位置決めカバーロッド36が設置され、前記密封ブロックの位置決めカバーロッド36の後側に圧縮状態になっている表示押圧ばね33が設置され、前記表示押圧ばね33の後側に押圧穴と密封して連係する且つ後端が密封ボックス8の後板に挿入する表示押圧ロッド34が接続される。
【００３０】
好ましくは、ロック内板3の外側の両端にロック外板4と締まり嵌めによって連係する締まり嵌め柱5が設置され、アラーム6の一つのコネクターがロック外板4とストラップ2に設置された導線を介して制御部に連通され、もう一つのコネクターが締まり嵌め柱5と締まり嵌めによって連係され、且つ締まり嵌め柱5がロック内板3とストラップ2に設置された導線7を介して制御部に連通され、前記制御部はアラーム6を間欠的に運転するように制御する配電制御部品である。
【００３１】
好ましくは、前記制御部は密封ボックス8に設置された蓄電池10を備え、蓄電池10の上部に電池連通柱13を介してコントローラ12が接続され、前記ストラップ2に密封ボックス8と締まり嵌めによって連係するストラップの接続差込カバー14が接続され、前記導線7がコントローラ12に連通され、前記密封ボックス8にその中の部品を位置固定させて且つ密封分離する位置固定密封ブロック11が設置され、前記コントローラ12にタイマーリレーが設置され、前記コントローラ12がタイマーリレーの信号を介してアラーム6の回路を開閉する。
【００３２】
好ましくは、前記ロック外板4の内部がロック内部空洞18であり、前記ロック外板4の外側に外板開合蓋16が設置され、内側にロック差込口が設置され、前記ロック差込口がロック内板3の外側の中部に設置されたロック円柱19と差し込み連係され、前記ロック円柱19の外側の中部に円形状溝が設置され、前記ロック内部空洞18にロック円柱19の外側の円形状溝と連係する位置固定装置が設置される。
【００３３】
好ましくは、前記位置固定装置はロック内部空洞18において且つロック円柱19の両側に設置されたロック台24を備え、前記ロック台24にロック押しロッド23が締まり嵌めによって連係され、前記ロック押しロッド23にロック円柱19と連係するロック半環状カバー20が接続され、前記ロック半環状カバー20の内側にロック円柱19の外側における円形状溝と差し込み連係するロック半環状ブロック21が固設される。
【００３４】
好ましくは、前記ロック半環状ブロック21の内側にロック押しロッド23と同一軸線に位置するロック差込ピン22が設置され、前記ロック円柱19に円形状溝と連通して且つロック差込ピン22と差し込み連係するロック差込穴が設置される。
【００３５】
好ましくは、前記外板開合蓋16の長さはロック内部空洞18を超え、且つ外板開合蓋16が開合蓋のロックボルト25とロック台24を介してロックされ、前記外板開合蓋16に開合蓋のロックボルト25と連係する開合蓋のロック溝26が設置され、前記ロック押しロッド23に開合蓋のロックボルト25と差し込み連係する穴が二つ設置され、且つ二つの穴はロックロック半環状ブロック21が円形状溝に挿脱される位置とそれぞれ対応する。
【００３６】
二枚のロック半環状ブロック21の接触箇所は半環状カバーの差込ピン27を介して締まり嵌めによって連係される。
【実施例】
【００３７】
具体的に使用する時、まずコントローラ12におけるタイマーリレーの信号を出す時間の間隔を調整し、通常二時間に一回信号を出してから、密封ボックス8を倒して、取り付けた表示ガラス板38の表示ガラスカバー37を表示位置固定カバー31に入れてから、初期位置と家族の電話番号を書きつけておく板紙を表示ガラスブロック38の上に置いてから、表示密封ブロック35を入れて、続いて表示押圧ブロック32を取り付けて、それに密封ブロックの位置決めカバーロッド36を押圧穴に挿入して、続いて密封ボックス8の後蓋板を表示押圧ロッド34に被装させることで位置決めを完了する。続いてボックスのロックボルトにより密封ボックス8をしっかり密封ロックしてから、この設備をお年寄りの首にかける。かける際に、まず締まり嵌め柱5をロック外板4に挿入し、続いて電池連通柱13をその一つの締まり嵌め柱5に挿入して接続を完了する。続いて外板開合蓋16の開合蓋のロックボルト25を取り外してから、更にロック押しロッド23を内側へ押して、ロック半環状カバー20をロック円柱19の外側に被装させ、且つロック半環ブロック21を円形状溝に挿入させ、ロック差込ピン22をロック差込穴に挿入させ、且つ二枚のロック半環ブロック21が半環状カバーの差込ピン27を介して締まり嵌めによって連係されることで、ロック押しロッド23の位置固定を完了する。続いて外板開合蓋16をして、開合蓋のロックボルト25とロック台24を介してロックさせ、ロックの過程においてロック押しロッド23を貫通させて、ロック押しロッドをロックさせ、もしロックできない場合、ロック押しロッド23の位置が適当ではないことがわかり、改めて調整した後ロックを行い、着用完了した後自動的に使用できる。もしお年寄りが迷子になると、コントローラ12がタイマーリレーの信号によってアラーム6をコントロールして2時間に1回、2分程度の間、注意信号を出すことで、周りの人が迷子になったお年寄りを早めに見つけて警察に通報して又は板紙に書きつけておく電話番号に連絡して、お年寄りを家族の所へ送り戻すように可能である。該設備を使用すると、通常3回注意信号を出すと即ち6時間以内に、お年寄りを見つけて警察に通報することが多く、相対的に失踪した範囲は小さく、お年寄りを探し出す効率を大きいに高める。
【００３８】
説明すべきなのは、本明細書において、専門用語の“含む”、“含有”またはそのいかなる他の変化は、非排他的な含有を網羅することを意味する。従って、一連の要素を含む過程、方法、物品または装置がそれらの要素を含むだけではなく、かつ明確に列挙されていないその他の要素をさらに備え、またはこの種類の過程、方法、物品または装置の固有の要素をさらに含んでいる。
【００３９】
本明細書に具体的な個別事例を応用して本発明の原理及び実施方式を説明したが、上記の実例の説明は本発明の方法及びその基本理念に対する理解を手伝うだけに用いられる。上記は本発明の好ましい実施方式のみであり、注意すべきなのは、文字表現の制限性のため、客観的に無限の具体的な構造が存在し、本技術分野の当業者にとって、本発明の原理から逸脱しない前提において、さらにいくつかの改善、修正または変化を実施でき、さらに上記の技術的特徴を適切な方式で組み合わせることができる。これらの改善と修正、変化または組み合わせ、または改善せずに発明の構想と技術的解決手段をその他の場合に直接応用するものは、いずれも本発明の保護範囲とみなすべきである。
【符号の説明】
【００４０】
1  配電制御ボックス
2  ストラップ
3  ロック内板
4  ロック外板
5  締まり嵌め柱
6  アラーム
7  導線
8  密封ボックス
9  ボックスのロックボルト
10  蓄電池
11  位置固定密封ブロック
12  コントローラ
13  電池連通柱
14  ストラップの接続差込カバー
16  外板開合蓋
17  アラームのコネクター
18  ロック内部空洞
19  ロック円柱
20  ロック半環状カバー
21  ロック半環ブロック
22  ロック差込ピン
23  ロック押しロッド
24  ロック台
25  開合蓋のロックボルト
26  開合蓋のロック溝
27  半環状カバーの差込ピン
31  表示位置固定カバー
32  表示押圧ブロック
33  表示押圧ばね
34  表示押圧ロッド
35  表示密封ブロック
36  密封ブロックの位置決めカバーロッド
37  表示ガラスカバー
38  表示ガラスブロック
39  密封ブロックの位置固定凸輪
40  表示インターセプトネット
41  インターセプトロックボルト
42  表示口
【図１】
2020004383.tif 000003
【図２】
2020004383.tif 000004
【図３】
2020004383.tif 000005
【図４】
2020004383.tif 000006
【図５】
2020004383.tif 000007
【図６】
2020004383.tif 000008
【図７】
2020004383.tif 000009
【図８】
2020004383.tif 000010
【図９】
2020004383.tif 000011